(57)【要約】      （修正有）【課題】イヤホーンの磁気エネルギーに対する利用率を向上する。【解決手段】外殻と、外殻の中に配置された磁場システム、振動システムと、を含む。前記磁場システムは、磁石とコイルとを含む。前記振動システムは、アーマチュアと、振動膜と、アーマチュアと振動膜を接続するためのリンクロッドとを含み、前記磁石及びコイルの一方はアーマチュアに固定され、他方は外殻に固定され、前記磁石の磁場の極性軸は、コイルが通電後に生じた磁場の極性軸と平行する。前記構成により、磁石とコイルの相対運動方向を、アーマチュアでの作用力の方向と一致させることにより、振動偏差を有効に回避可能であり、磁場の利用率が向上され、音の歪みを制御するには役立つ。【選択図】図２
2010028813.tif 000002
【特許請求の範囲】
【請求項１】
外殻と、外殻の中に配置された磁場システム、振動システムと、を含み、前記磁場システムは、磁石とコイルとを含み、前記振動システムは、アーマチュアと、振動膜と、前記アーマチュアと振動膜を接続するためのリンクロッドとを含み、前記磁石及びコイルの一方は前記アーマチュアに固定され、他方は前記外殻に固定されているイヤホーンであって、
前記磁石の磁場の極性軸は、コイルが通電後に生じた磁場の極性軸と平行することを特徴とする、イヤホーン。
【請求項２】
前記アーマチュアは振動アーマチュアであることを特徴とする、請求項１に記載のイヤホーン。
【請求項３】
前記アーマチュアは、前記外殻に固定された固定部分と、前記固定部分から延出され振動に用いられた延出部分とを含み、前記振動膜は前記リンクロッドにより前記延出部分に接続され、前記磁石及びコイルの一方は前記延出部分に固定されていることを特徴とする、請求項１又は２に記載のイヤホーン。
【請求項４】
前記延出部分は、固定部分の一端から延出され、前記固定部分との接続部分は９０度のアークに形成され、前記コイルは前記外殻に固定され、前記磁石は前記延出部分の一方側に固定され、且つ前記コイルと延出部分との間に位置し、前記振動膜は前記延出部分の他方側に位置していることを特徴とする、請求項３に記載のイヤホーン。
【請求項５】
前記延出部分は、二つの曲げられたＵ字状のアームを備え、前記コイルは前記の一方のアームに固定され、前記磁石は前記外殻に固定され、且つ前記の他方のアームに囲まれていることを特徴とする、請求項３に記載のイヤホーン。
【請求項６】
前記二つのアームは同じ方向に又は反対方向に曲げられていることを特徴とする、請求項５に記載のイヤホーン。
【請求項７】
前記アーマチュアの延出部分はＵ字状に曲げられ、前記磁石及びコイルは前記延出部分に囲まれていることを特徴とする、請求項３に記載のイヤホーン。
【請求項８】
前記コイルは前記外殻に固定され、前記磁石は前記延出部分に固定されていることを特徴とする、請求項７に記載のイヤホーン。
【請求項９】
前記磁石は前記リンクロッドとコイルとの間に位置していることを特徴とする、請求項８に記載のイヤホーン。
【請求項１０】
前記コイルは前記リンクロッドと磁石との間に位置していることを特徴とする、請求項８に記載のイヤホーン。
【発明の詳細な説明】
【技術分野】
【０００１】
本発明は、イヤピースの分野に属し、特にイヤホーンに関する。
【背景技術】
【０００２】
図１は従来のイヤホーンの磁場モデルを示す図である。前記磁場モデルは、バランスド・アーマチュア１１’、磁石１２’及びコイル１３’を含んでいる。バランスド・アーマチュア１１’は、固定部分１１２’と延出部分１１４’とを含み、固定部分１１２’はバランスド・アーマチュア１１’全体を位置決めるように外殻（図に示していない）に貼り付けられている。延出部分１１４’は振動に用いられ、リンクロッドにより振動を振動膜（図に示していない）に伝える。磁石１２’は平行に配置された二つの磁石１２２’、１２４’を含み、二つの磁石１２２’、１２４’の間に均一な磁場が形成され、バランスド・アーマチュア１１’の延出部分１１４’は該均一な磁場の中心位置に位置決められている。コイル１３’は、コイル本体１３２’と、極性を有する引き出し線１３４’、１３６’とを含んでいる。
【０００３】
前記コイル１３’が通電後に形成した磁場の極性軸方向（図１において水平方向）は、磁石１２’による磁場の極性軸方向（図１において鉛直方向）とは垂直しているので、磁石１２’とコイル１３’との相対的な運動方向は、力が作用される方向とは、位相差があり、磁気エネルギーに対する利用率は低い。同じ周波数応答性要求に対して、体積が大きくなり、周波数応答性と構成適応性に対する要求に影響を及ぼすので、音響学上に歪みが起こしやすい。
【発明の概要】
【０００４】
本発明が解決しようとする技術的な課題は、イヤホーンを提供して、従来のイヤホーンの磁気エネルギーに対する利用率が低いとの課題を解決することを目的とする。
【０００５】
本発明はこのように実現されている。外殻と、外殻の中に配置された磁場システム、振動システムとを含み、前記磁場システムは、磁石とコイルとを含み、前記振動システムは、アーマチュアと、振動膜と、アーマチュアと振動膜を接続するためのリンクロッドとを含み、前記磁石及びコイルの一方は前記アーマチュアに固定され、他方は前記外殻に固定されているイヤホーンであって、前記磁石の磁場の極性軸は、コイルが通電後に生じた磁場の極性軸と平行する。
【０００６】
従来技術と比べて、前記技術案では、磁石の磁場の極性軸は、コイルが通電後に生じた磁場の極性軸と平行するので、磁石とコイルとの相対的な運動方向は、アーマチュアでの作用力の方向と一致している。これにより、振動偏差を有効に回避可能であり、磁場の利用率が向上され、音の歪みを制御するには役立つ。
【図面の簡単な説明】
【０００７】
【図１】従来のイヤホーンの磁場モデルを示す図である。
【図２】本発明によるイヤホーンの第１の実施形態の断面図である。
【図３】図２に示すイヤホーンの磁場モデルを示す図である。
【図４】本発明によるイヤホーンの第２の実施形態の断面図である。
【図５】本発明によるイヤホーンの第３の実施形態の断面図である。
【図６】本発明によるイヤホーンの第４の実施形態の断面図である。
【図７】本発明によるイヤホーンの第５の実施形態の断面図である。
【発明を実施するための形態】
【０００８】
本発明が解決しようとする技術的な課題、技術案及び有益な効果をさらに明瞭にさせるためには、以下、図面及び実施例を参照して、本発明に対してさらに詳細に説明する。ここで記述された具体的な実施例は本発明を解釈するためだけであり、本発明を限定するためのものではないと考えられるべきである。
【０００９】
図１〜図７に示すように、本発明の実施例によるイヤホーンは外殻１と、外殻１の中に配置された磁場システム、振動システムとを含む。前記磁場システムは、磁石１０とコイル２０とを含む。前記振動システムは、アーマチュア３０ａ−ｄと、振動膜４０と、アーマチュア３０ａ−ｄと振動膜４０を接続するためのリンクロッド５０と、を含む。磁石１０及びコイル２０の一方はアーマチュア３０ａ−ｄに固定され、他方は外殻１に固定されている。磁石１０の磁場の極性軸１０１は、コイル２０が通電後に生じた磁場の極性軸２０１と平行する。
【００１０】
外殻１は、出音口１１、外ハウジング部１２、及び外ハウジング部１２と係合する後ハウジング部１３を順次に含み、磁場システムと振動システムは外ハウジング部１２と後ハウジング部１３により形成された内部空間に位置している。磁石１０は単独な磁石素子である。コイル２０、コイル本体２０２と、それぞれコイル本体２０２から引き出された極性を有する引き出し線２０４、２０６とを含む。アーマチュア３０ａ−ｄは、外殻１に固定された固定部分３０２ａ−ｄと、固定部分３０２ａ−ｄから延出され、振動に用いられる延出部分３０４ａ−ｄとを含む。振動膜４０は、リンクロッド５０により延出部分３０４ａ−ｄに接続され、磁石１０及びコイル２０の一方は延出部分３０４ａ−ｄに固定されている。振動膜４０は、張り合われたプラスチック層４０２と金属箔層４０４と含み、プラスチック層４０２の外縁は外殻１に固定され、プラスチック層４０２は、リンクロッド５０によりアーマチュア３０ａ−ｄの延出部分３０４ａ−ｄに接続され、金属箔層４０４はプラスチック層４０２における出音口１１に向かう側に位置している。
【００１１】
同時に、図３を参照すると、電流は引き出し線２０４、２０６を介してコイル２０に出力すると、コイル本体２０２は磁場が生じて、前記磁場は極性軸２０１を備える。このとき、磁石１０とコイル２０は磁力を受けて、磁石１０とコイル２０のアーマチュア３０ａ−ｄに固定された部材は磁力の大きさの変化により振動を生じる。アーマチュア３０ａ−ｄの延出部分３０４ａ−ｄは、該部材と一緒に固定されているので、一緒に振動して、リンクロッド５０により、振動を振動膜４０に伝えて、音が生ずる。
【００１２】
磁石１０の磁場は、コイル２０が通電後に生ずる磁場の極性軸２０１と平行する極性軸１０１を備えるので、磁石１０とコイル２０との相対的な運動方向を、アーマチュア３０ａ−ｂへの作用力の方向と一致させる。これにより、振動偏差を有効に回避可能であり、磁場の利用率が向上され、音の歪みを抑えるには役立つ。
【００１３】
前記アーマチュア３０ａ−ｄが振動アーマチュアであることは好ましい。そうすると、従来のバランスド・アーマチュアと比べて、磁場強度と位置が同様な空間では、振動膜４０は、より大きい駆動力を得ることができ、音声変換率が向上され、結果的にはイヤホーンの周波数応答性は、従来の磁気回路方式のイヤホーンによる周波数応答性より向上されると共に、全体の体積も小さくなったので、よりよい性能とより強い構成適応性を備えることができる。
【００１４】
図２に示すのは、本発明によるイヤホーンの第１の実施例である。第１の実施例では、アーマチュア３０ａの延出部分３０４ａは固定部分３０２ａの一端から延出され、固定部分３０２ａとの接続部分は９０度のアークである。コイル２０は、コイルボルダ２０8により外殻１に固定され、磁石１０は延出部分３０４ａの一方側に固定され、且つコイル２０と延出部分３０４ａとの間に位置し、振動膜４０は、延出部分３０４ａ他方側に位置する。
【００１５】
コイル２０が通電されると、磁石１０に振動が生じて、アーマチュア３０ａの延出部分３０４ａも一緒に振動して、リンクロッド５０により振動を振動膜４０に伝えて、音が生じる。
【００１６】
図４には、本発明によるイヤホーンの第２の実施例を示す。第２の実施例は、第１の実施例との主な相違点は、アーマチュア３０ｂの延出部分３０４ｂは、二つの反対方向に曲げたＵ字状のアーム３０４２ｂ、３０４２ｂ’を含み、一方のアーム３０４２ｂはコイル２０のホルダとして、コイル２０は該アーム３０４２ｂに固定され、磁石１０は、磁石ホルダ１０２を介して外殻１に固定され、他方のアーム３０４２ｂ’により囲まれている。磁石１０とリンクロッド５０はそれぞれアーム３０４２ｂ’の両側に位置する。
【００１７】
コイル２０が通電されると、コイル２０に振動が生じて、アーマチュア３０ｂの延出部分３０４ｂは一緒に振動して、リンクロッド５０により振動を振動膜４０に伝えて、音が生じる。
【００１８】
図５には、本発明によるイヤホーンの第３の実施例を示す。第３の実施例は、第２の実施例との主な相違点は、アーマチュア３０ｃの延出部分３０４ｃは、二つの同じ方向に曲げたＵ字状のアーム３０４２ｃ、３０４２ｃ’を含み、二つのアーム３０４２ｃ’、３０４２ｃ’の位置の順位は異なる。一方のアーム３０４２ｃはコイル２０のホルダとして、コイル２０は該アーム３０４２ｃに固定され、磁石１０は、磁石ホルダ１０２を介して外殻１に固定され、二つのアーム３０４２ｃ、３０４２ｃ’との間に位置する。
【００１９】
図６には、本発明によるイヤホーンの第４の実施例を示す。第４の実施例は、第１の実施例との主な相違点は、アーマチュア３０ｄの延出部分３０４ｄはＵ字状に曲げられ、磁石１０はアーマチュア３０ｄの延出部分３０４ｄに固定され、リンクロッド５０とコイル２０との間に位置し、磁石１０とコイル２０は、Ｕ字状の延出部分３０４ｄに囲まれている。
【００２０】
図７には、本発明によるイヤホーンの第５の実施例を示す。第５の実施例は、第４の実施例との主な相違点は、コイル２０は、リンクロッド５０と磁石１０との間に位置する。
【００２１】
上述の説明は本発明の好ましい実施の形態のみであり、本発明を限定するためのものではない。本発明の精神と原則内での修正、同等な置換や改善などは何れも本発明の保護範囲に含まれるべきである。
【図１】
2010028813.tif 000003
【図２】
2010028813.tif 000004
【図３】
2010028813.tif 000005
【図４】
2010028813.tif 000006
【図５】
2010028813.tif 000007
【図６】
2010028813.tif 000008
【図７】
2010028813.tif 000009